(57)【要約】【課題】浴槽の製造コストを大幅に削減でき、給水管を覆い隠すための部材を別途設ける必要がなく、浴室のサイズを建物躯体の内寸いっぱいにまで大きくすることが可能となる浴室用水栓の取付構造を提供する。【解決手段】浴槽２のフランジ６の外縁６ａに沿って設けられてフランジ６と浴室壁４ａとの間の隙間８を覆う覆い部材９を備える。覆い部材９はフランジ６よりも上方に突出する縦片部１０と、縦片部１０の上端部から後方に突出する横片部１１を備える。浴槽２と浴室壁４ａとの間に下側配管用空所２２を形成する。縦片部１０と浴室壁４ａとの間に下側配管用空所２２に連通する上側配管用空間２３を形成する。縦片部１０に水栓固定具１３を取り付ける。給水管１７を下側配管用空所２２及び上側配管用空間２３に順に通して水栓固定具１３に接続し、浴室用水栓１６に連通させる。【選択図】        図１
2009022659.tif 000002
【特許請求の範囲】
【請求項１】
浴室に設置した浴槽のフランジの外縁に沿って設けられて該フランジと浴室壁との間の隙間を覆う覆い部材を備え、該覆い部材は、前記フランジの外縁に沿うと共にフランジよりも上方に突出する縦片部と、縦片部の上端部から突出する横片部を備え、覆い部材よりも下方の浴槽と浴室壁との間に下側配管用空所を形成すると共に、覆い部材の縦片部と浴室壁との間に前記下側配管用空所に連通して上方が覆い部材の横片部によって覆われる上側配管用空所を形成し、前記縦片部の浴槽のフランジよりも上方位置に水栓固定具を取り付け、給水管を下側配管用空所及び上側配管用空間に順に通して水栓固定具に接続し、水栓固定具に固定した浴室用水栓に連通させることを特徴とする浴室用水栓の取付構造。
【発明の詳細な説明】
【技術分野】
【０００１】
本発明は浴室用水栓の取付構造に関する。
【背景技術】
【０００２】
従来、浴室に設置される浴槽としてはその長さが対向する浴室壁間の距離と一致する浴槽が用いられ、この種の浴槽は長さ方向の両端に位置するフランジの外縁を浴室壁に沿わせた状態で設置される（例えば特許文献１）。
【０００３】
ところで、建物の改築により既設の浴室よりも一回りサイズの大きいユニットバスルーム等からなる浴室を形成する場合、対向する浴室壁間の距離が長くなり、この場合、例えば図２に示すように既設の浴槽と同一の浴槽２を改築後の一回りサイズが大きい浴室１に設置すると、浴槽２の長さと浴室１の浴室壁４ａ間の距離Ｌ１とが一致せず、浴槽２のフランジ６と浴室壁４ａとの間に隙間８が形成されてしまう。このため従来では改築後の浴室１の浴室壁４ａ間の距離Ｌ１と一致する長さの浴槽を新たに製造する必要があり、例えば合成樹脂製の浴槽にあっては金型のコストがかかる等、改築費用が大幅に増加するという問題があった。また、改築後の浴室１は建物躯体の内寸いっぱいに納められることが多々あり、この場合には浴室壁４と建物躯体との間に浴室用水栓に接続される給水管を配置するためのスペースを確保できず、浴室１内に給水管を導入して該給水管を覆い隠す必要があった。
【０００４】
また、上記改築の場合だけではなく、新築の建物の浴室に浴槽を設置する場合にも、浴室の対向する浴室壁間の距離は浴室のサイズによって異なるものであるため、サイズの異なる浴室毎に浴室壁間の距離と一致する浴槽を製造する必要があり、製造コストが大幅に増加するという問題が生じ、また、浴室を建物躯体の内寸いっぱいに納めた場合には上記改築の場合と同様の問題が生じる。
【特許文献１】特開２００３−２９００６４号公報
【発明の開示】
【発明が解決しようとする課題】
【０００５】
本発明は上記従来の問題点に鑑みて発明したものであって、浴槽の製造コストを大幅に削減でき、給水管を覆い隠すための部材を別途設ける必要がなく、しかも浴室のサイズを建物躯体の内寸いっぱいにまで大きくすることが可能となる浴室用水栓の取付構造を提供する。
【課題を解決するための手段】
【０００６】
上記課題を解決するために本発明に係る浴室用水栓の取付構造は、浴室１に設置した浴槽２のフランジ６の外縁６ａに沿って設けられて該フランジ６と浴室壁４ａとの間の隙間８を覆う覆い部材９を備え、該覆い部材９は、前記フランジ６の外縁６ａに沿うと共にフランジ６よりも上方に突出する縦片部１１と、縦片部１１の上端部から突出する横片部１１を備え、覆い部材９よりも下方の浴槽２と浴室壁４ａとの間に下側配管用空所２２を形成すると共に、覆い部材９９の縦片部１０と浴室壁４ａとの間に前記下側配管用空所２２に連通して上方が覆い部材９の横片部１１によって覆われる上側配管用空間２３を形成し、前記縦片部１０の浴槽２のフランジ６よりも上方位置に水栓固定具１３を取り付け、給水管１７を下側配管用空所２２及び上側配管用空所２３に順に通して水栓固定具１３に接続し、水栓固定具１３に固定した浴室用水栓１６に連通させることを特徴とする。
【０００７】
上記構成により、浴室１に設置した浴槽２のフランジ６の外縁６ａと浴室壁４ａとの間の隙間８を覆い部材９により覆い隠すことができ、また、下側配管用空所２２及び上側配管用空所２３に収納した給水管１７を浴室用水栓１６を取り付けた覆い部材９と浴槽１とで給水管１７を覆い隠すことができる。
【発明の効果】
【０００８】
請求項１に係る発明では、浴室のサイズを大きくする改築時においては、改築後の新設の浴室に設置される浴槽として既設の浴室に設置される浴槽と同大同形の浴槽又は既設の浴室に設置した浴槽を利用でき、改築費用を大幅に削減でき、また、新築時には、サイズの異なる浴室毎に浴室壁間の距離と一致する長さを有する浴槽を製造する必要がなく、浴槽の製造コストを大幅に削減できる。また、浴室用水栓を取り付けた覆い部材と浴槽とで給水管を覆い隠すことができるので、給水管を覆い隠すための部材を別途設ける必要がなく、また、浴室壁と建物躯体との間に給水管を配置せずに、浴室のサイズを建物躯体の内寸いっぱいにまで大きくすることが可能となる。
【発明を実施するための最良の形態】
【０００９】
以下、本発明を添付図面に示す実施形態に基づいて説明する。
【００１０】
本例の浴室用水栓の取付構造は、改築により既設の浴室（図示せず）に代えて設けられた新設の浴室１に適用したものである。浴槽２が設置される改築後の浴室１は平面視方形状であり、既設の浴室を構成するユニットバスルームよりも一回り大きいサイズのユニットバスルームからなり、床パン、四方の壁パネル、天井パネルの夫々で浴室床３、浴室壁４、浴室天井を構成している。
【００１１】
浴室床３を構成する床パンは、一方の半部が洗い場５を構成する洗い場構成部３ａとなり、他方の半部が浴槽２が設置される浴槽設置部３ｂとなっている。浴槽設置部３ｂを挟んで対向する浴室壁４間の距離Ｌ１は既設の浴室における浴槽設置部を挟んで対向する浴室壁間の距離よりも長くなっている。
【００１２】
浴槽設置部３ｂ上に設置された浴槽２は平面視略長方形状であって、浴槽２の一方の長辺側に洗い場が位置する。浴槽２は合成樹脂製であって、既設の浴室に設置した浴槽と同大同形の浴槽、又は既設の浴室に設置した浴槽からなる。浴槽２の上端部には外側に向かって突出するフランジ６を浴槽２の全周に亘って設けてあり、フランジ６の外周縁には下方に向けて垂下片部７を突出している。浴槽２の長さ寸法、即ち浴槽２の両側の短辺を構成するフランジ６の外縁６ａ、６ｃ間の距離Ｌ２は、既設の浴室において浴槽設置部を挟んで対向する浴室壁間の距離と同じであり、改築後の浴室１において浴槽設置部３ｂを挟んで対向する浴室壁４間の距離Ｌ１よりも短くなっている。
【００１３】
図２に示すように、浴槽２は隣接する二辺を構成するフランジ６の外縁６ｂ、６ｃを対応する浴室壁４の表面に当接した状態で設置される。浴槽２の長さ寸法である距離Ｌ２は改築後の浴室１の浴室壁４間の距離Ｌ１よりも短いので、フランジ６の外周縁のうち一方の短辺（前記浴室壁４に当接される短辺と反対側の短辺）を構成する外縁６ａとこれに対向する浴室壁４ａとの間には隙間８が形成される。なお、浴槽２は既設の浴室にあってはフランジ６の外周縁のうち浴槽２の洗い場側の辺を除く３辺を構成する外縁６ａ、６ｂ、６ｃを対応する浴室壁の表面に当接した状態で設置され、既設の浴室にあっては前述の隙間８は形成されない。
【００１４】
図１に示すように上記隙間８はフランジ６の外縁６ａと浴室壁４ａとの間に配設した覆い部材９によって覆われる。覆い部材９は浴槽２の幅寸法と略同じ長さを有する横長で断面略Ｌ字状の部材であって、鉛直な縦片部１０と、縦片部１０の上端部から浴室壁４ａ側の後方に向けて突出する横片部１１を備えている。また、横片部１１の後端部からは下方に向けて差込片部１２を突出している。
【００１５】
覆い部材９の縦片部１０には水栓固定具１３を取り付けてあり、水栓固定具１３は縦片部１０を貫通している。水栓固定具１３は縦片部１０から前方に突出した水栓取付部１４と縦片部１０から後方に突出した給水管接続部１５を備え、水栓取付部１４には浴室用水栓１６を取り付けてあり、給水管接続部１５には給水管１７の下流側端部を接続している。本例の浴室用水栓１６は浴槽２に湯水を供給するための混合水栓であって、図示は省略するが、水栓固定具１３は常温の水を供給するための給水管接続部１５と湯を供給するための給水管接続部１５を備え、各給水管接続部１５には常温の水又は湯を供給するための給水管１７を接続している。
【００１６】
上記覆い部材９は弾性を有する片状の引掛具１８を介して浴室壁４に取り付けてある。引掛具１８はその下部をビス１９により浴室壁４の表面に取り付けてあり、浴槽２のフランジ６よりも上方に位置する。引掛具１８は上部にく字状に折り曲げたばね片部２０を備えており、該ばね片部２０と浴室壁４の表面との間に上方に開口する差込溝２１を形成している。覆い部材９は差込片部１２を差込溝２１に差し込んでばね片部２０を差込片部１２に弾接した状態で引掛具１８に引掛けることで浴室壁４ａに取り付けられ、この取付状態では縦片部１０の下端部の前面に浴槽２のフランジ６の外縁６ａに設けた垂下片部７の外面が当接する。また、覆い部材９の長さ方向の一端は浴槽２の長辺に隣接する浴室壁４ｂの表面に当接する。覆い部材９は、例えば覆い部材９に水栓固定具１３を取り付けた後、水栓固定具１３に給水管１７を接続し、この後、浴室壁４ａに取り付けられるものである。また、この覆い部材９の取り付けを容易にするために給水管１７の少なくとも下流側部分は屈曲自在なフレキシブル管で構成してある。
【００１７】
上記のように隙間８に覆い部材９を配設することで、覆い部材９よりも下方の浴槽２の側壁と浴室壁４ａとの間には下側配管用空所２２が形成される。また、覆い部材９の縦片部１０と浴室壁４ａとの間には前記下側配管用空所２２の上端に連通すると共に上方が覆い部材９の横片部１１で覆われた上側配管用空所２３が形成される。なお、上側配管用空所２３及び下側配管用空所２２の夫々の洗い場５側の開口は覆い部材９に一体に設けた又は覆い部材９とは別体の側片部２４により覆われる。
【００１８】
前述の各給水管１７は浴室１外から浴室床３又は浴室壁４を介して浴室１内における下側配管用空所２２に導入され、この後、下側配管用空所２２から上方に伸びて上側配管用空所２３を通り水栓固定具１３の対応する給水管接続部１５に接続される。これにより各給水管１７は水栓固定具１３を介して水栓固定具１３に固定した浴室用水栓１６に連通し、しかして浴室用水栓１６には給水管１７からの水が供給される。
【００１９】
以上説明した本例の浴室用水栓１６の取付構造にあっては、フランジ６の外縁６ａに沿うと共にフランジ６よりも上方に突出する縦片部１０と縦片部１０の上端部から突出する横片部１１を備えた覆い部材９により、浴室１に設置した浴槽２のフランジ６の外縁６ａと浴室壁４ａとの間の隙間８を覆い隠すことができ、これにより改築後の浴室１に設置される浴槽２として既設の浴室に設置される浴槽と同大同形の浴槽又は既設の浴室に設置した浴槽を利用でき、改築費用を大幅に削減できる。また、浴室用水栓１６を取り付けた覆い部材９により給水管１７を覆い隠すことができるので、給水管１７を覆い隠すための部材を別途設ける必要がなく、また、浴室壁４ａと建物躯体（図示せず）との間に給水管１７を配置する必要がないので、改築後の浴室１のサイズを建物躯体の内寸いっぱいにまで大きくすることが可能となる。
【００２０】
なお、本例では本発明の浴室用水栓１６の取付構造を建物の改築により既設の浴室に代えて設けられた既設の浴室よりも一回りサイズの大きい改築後の浴室１に適用した例を示したが、新築の建物の浴室に適用しても良く、この場合は、サイズの異なる浴室毎に浴室壁間の距離と一致する長さを有する浴槽を製造する必要がなく、浴槽の製造コストを大幅に削減できる。また、浴室壁と建物躯体との間に給水管を配置せずに、浴室のサイズを建物躯体の内寸いっぱいにまで大きくすることが可能となる。
【図面の簡単な説明】
【００２１】
【図１】本発明の実施の形態の一例を示す側断面図である。
【図２】覆い部材を取り付ける前の状態を示す斜視図である。
【図３】同上の斜視図である。
【符号の説明】
【００２２】
１  浴室
２  浴槽
６  フランジ
６ａ  外縁
８  隙間
９  覆い部材
１０  縦片部
１１  横片部
１３  水栓固定具
１６  浴室用水栓
１７  給水管
２２  下側配管用空所
２３  上側配管用空所
【図１】
2009022659.tif 000003
【図２】
2009022659.tif 000004
【図３】
2009022659.tif 000005